(57)【要約】【課題】カード表面を可変的に変更せしめるカード及びその変更を行うカードシステムを提供することを目的とする。【解決手段】電子ペーパーを具備するＩＣカードとデータの送受信が可能なカードＩ／Ｆ装置との間でデータの送受信を行う通信装置と、通信装置から受信したカードの通信内容に於ける認証用データと、顧客・カード個別識別情報データベースに格納しているカード保有者の識別用のデータとを照合し、該カードの認証を行うカード認証装置と、基本制御データベースに格納している基本部分データと、個別制御データベースに格納している個別部分データとを抽出して、結合データを作成する制御データ作成装置とを有するカードシステムである。【選択図】　図１
2004030406.tif 000002
【特許請求の範囲】
【請求項１】
ＩＣチップを有するカードであって、
前記カードの表面に電子ペーパーを具備する
ことを特徴とするカード。
【請求項２】
前記ＩＣチップは、
前記電子ペーパにどのように表示を行うかを識別する為の表示変更識別手段と、前記識別した内容に従い、前記電子ペーパーに対して表示内容の変更を指示する信号を発する表示変更指示手段とを
有することを特徴とする請求項１に記載のカード。
【請求項３】
前記カードは、
前記電子ペーパー及び前記ＩＣチップに対して電力を供給する電力供給手段を
有することを特徴とする請求項１又は請求項２に記載のカード。
【請求項４】
前記電子ペーパーに表示する表示内容の一部又は全部として、
カード保有者の顔、指紋、人体の一部又は全部の情報のいずれかを含む
ことを特徴とする請求項１から請求項３に記載のカード。
【請求項５】
請求項１から請求項４のいずれかに記載のカードとの間でデータの送受信を行い、前記カードのＩＣチップに記録しているデータを接触又は非接触で読み取り／書き込みを行えるカードＩ／Ｆ装置との間でネットワークを介してデータの送受信が可能なカードシステムに於いて、
前記ネットワークを介してカードＩ／Ｆ装置との間でデータの送受信を行う通信装置と、
前記通信装置から受信したカードの通信内容に於ける認証用データと、顧客・カード個別識別情報データベースに格納しているカード保有者の識別用のデータとを照合し、該カードの認証を行うカード認証装置と、
基本制御データベースに格納している基本部分データと、個別制御データベースに格納している個別部分データとを抽出して、結合データを作成する制御データ作成装置とを
有することを特徴とするカードシステム。
【請求項６】
請求項１から請求項４のいずれかに記載のカードとの間でデータの送受信を行い、前記カードのＩＣチップに記録しているデータを接触又は非接触で読み取り／書き込みを行えるカードＩ／Ｆ装置を有する保有者側カードシステムとの間でネットワークを介してデータの送受信が可能なカードシステムに於いて、
前記ネットワークを介してカードＩ／Ｆ装置との間でデータの送受信を行う通信装置と、
前記通信装置から受信したカードの通信内容に於ける認証用データと、顧客・カード個別識別情報データベースに格納しているカード保有者の識別用のデータとを照合し、該カードの認証を行うカード認証装置と、
基本制御データベースに格納している基本部分データを抽出し前記ネットワークを介して前記カードＩ／Ｆ装置に送信を行うシステム側制御データ装置とを
有することを特徴とするカードシステム。
【請求項７】
請求項１から請求項４のいずれかに記載のカードとの間でデータの送受信を行い、前記カードのＩＣチップに記録しているデータを接触又は非接触で読み取り／書き込みを行えるカードＩ／Ｆ装置を有する保有者側カードシステムとの間でネットワークを介してデータの送受信が可能なカードシステムに於いて、
前記ネットワークを介してカードＩ／Ｆ装置との間でデータの送受信を行う通信装置と、
前記通信装置から受信したカードの通信内容に於ける認証用データと、顧客・カード個別識別情報データベースに格納しているカード保有者の識別用のデータとを照合し、該カードの認証を行うカード認証装置と、
基本制御データベースに格納している基本部分データと、個別制御データベースに格納している個別部分データとを抽出して、結合データを作成する制御データ作成装置とを
有することを特徴とするカードシステム。
【請求項８】
前記カードシステムは、
与信データデータベースに格納しているカード保有者の与信データに基づいて、該カード保有者の選択することの出来る基本部分データ又は個別部分データの制限を付加するパターン制御装置を
有することを特徴とする請求項５から請求項７のいずれかに記載のカードシステム。
【請求項９】
前記基本部分データは、
前記電子ペーパーで表示する表示デザインの基本部分を識別する識別子又は画像データであって、
前記個別部分データは、
前記電子ペーパーで表示する表示デザインの個別部分を識別する識別子又は画像データであって、
前記結合データは、
前記基本部分データと前記個別部分データの組合せからなる
ことを特徴とする請求項５から請求項８のいずれかに記載のカードシステム。
【請求項１０】
前記保有者側カードシステムは、
前記カードＩ／Ｆ装置で個別部分データを読み取り保有者側個別制御データベースに格納した個別部分データと、前記カードシステムから受信した基本部分データとに基づいて、結合データを作成する保有者側制御データ作成装置を
有することを特徴とする請求項６に記載のカードシステム。
【請求項１１】
前記保有者側カードシステムは、
前記カードＩ／Ｆ装置で個別部分データを読み取り保有者側個別制御データベースに格納した個別部分データと、前記カードシステムから受信した結合データとに基づいて、前記受信した結合データに於ける個別部分データを、前記カードＩ／Ｆ装置で読み取った個別部分データに変更又は差し替えを行い、第２の結合データを作成する保有者側制御データ変更装置を
有することを特徴とする請求項７に記載のカードシステム。
【請求項１２】
請求項１から請求項４のいずれかに記載のカードとの間でデータの送受信を行い、前記カードのＩＣチップに記録しているデータを接触又は非接触で読み取り／書き込みを行えるカードＩ／Ｆ装置に於いて、
前記カードＩ／Ｆ装置が、カメラ、スキャナ、ディスクの読み取り装置、キーボード、マウス、タッチパネルのいずれかを具備している
ことを特徴とするカードＩ／Ｆ装置。
【請求項１３】
前記カードＩ／Ｆ装置は、
前記結合データ又は第２の結合データを前記カードに送信することによって該カードの表示、情報の変更を行わせる
ことを特徴とする請求項１２に記載のカードＩ／Ｆ装置。
【請求項１４】
前記カードＩ／Ｆ装置は、
前記カードのＩＣチップに記憶されたカード保有者の顔、指紋、人体の一部又は全部の情報と、前記カードＩ／Ｆ装置に具備されたカメラ又は指紋読み取り装置で読み取った情報とを照合することによって、カードの表示、情報変更を行う者が正規のカード保有者であるか否かの認証を行うバイオメトリクス認証装置を
有することを特徴とする請求項１２又は請求項１３に記載のカードＩ／Ｆ装置。
【発明の詳細な説明】
【０００１】
【発明の属する技術分野】
本発明は、クレジットカード、デビットカード、電子マネーカード等のカード表面を可変的に変更せしめるカード及びその変更を行うカードシステムに関する。
【０００２】
【従来の技術】
クレジットカード、デビットカード、電子マネーカード等のカードには、データを大量に記録させる為に、磁気ストライプによる記録方式（磁気カード）からＩＣチップによる記録方式（即ちＩＣカード）に変わりつつある。
【０００３】
このようなカード（本明細書に於いてはＩＣカードからなる、クレジットカード、デビットカード、電子マネーカード等を、単にカードと呼ぶ）は、カード発行企業がカード表面にそのデザインを印刷し、又カードに具備されたメモリに、カード保有者となる者の利用可能なサービスの内容、氏名、カード番号等の諸データを登録し、それをカード保有者となる者に対して送付している。
【０００４】
従って、カード保有者が現在保有しているカードの種類とは異なる種類（例えばホワイトカードからゴールドカードに変更する等）のカードを使用したい、氏名が婚姻等によって変更した、異なるデザインのカードを使用したい等の希望等があった場合には、カード発行企業に対して所定の手続を経た後に、カード発行企業が、新たなカードをカード保有者に対して発行している。
【０００５】
又カード発行企業としては、カード保有者からの様々なデザインのカード（例えばアニメのキャラクタや、タレント、画家によるデザインが付されたカード）を持ちたいという要望に応える為に、多岐にわたるデザインが印刷されたカードを保持しなければならなかった。
【０００６】
【発明が解決しようとする課題】
つまり従来では、カード発行企業が新規のカードを作成してカード保有者に対して発行しているので、カード発行企業はカードの在庫コスト、発行処理コスト、送付コスト等の諸経費が発生してしまう。
【０００７】
又カード保有者の立場からすると、新たなカードをカード発行企業から受領できるまでの間、カードを利用できない等の問題点が発生する。更に古いカードを破棄し、新規のカードを作成するのは資源面でも無駄が発生している。
【０００８】
【課題を解決するための手段】
本発明は上記問題点に鑑み、カード発行企業が一度カードを発行すれば新たなカードを発行することなく、カード保有者がカードを使用することが出来る、カード表面を可変的に変更可能なカード及びそのカードシステムを発明した。
【０００９】
これによって、カード発行企業は、従来のようにカードの在庫等を抱える必要がなく、又何度もカードを発行する手間が省けること等から、カードの在庫コスト、発行処理コスト、送付コスト等を軽減することが可能となる。
【００１０】
又カード保有者は、本発明のカードシステムを利用すればその場でカードを変更することが可能となるので、新しいカードを受領するまでの間、カードを使用できないとのデメリットがなくなる。更にその表面及びメモリの情報の内容のみが変わっているだけで、カード媒体そのものは同じカードであることから省資源を実現することが可能となる。
【００１１】
請求項１の発明は、
ＩＣチップを有するカードであって、前記カードの表面に電子ペーパーを具備するカードである。
【００１２】
本発明によって、従来のようにカードに表面デザインを印刷するのではなく、電子ペーパーに表示を行うことのできるカードが可能となる。従ってカード発行企業は、他種類の表面デザインのカードを在庫として保有する必要がなくなり、カード表面に電子ペーパーを具備するカードを在庫として保有していることのみで良い。カードを送付する際には、該当する表面デザインを電子ペーパーで表示して送付すればよい。尚、本明細書に於いて電子ペーパーとは、電源が切れてもそれに表示している画像が残存し、消えないものを示す。
【００１３】
請求項２の発明は、
前記ＩＣチップは、前記電子ペーパにどのように表示を行うかを識別する為の表示変更識別手段と、前記識別した内容に従い、前記電子ペーパーに対して表示内容の変更を指示する信号を発する表示変更指示手段とを有するカードである。
【００１４】
請求項３の発明は、
前記カードは、前記電子ペーパー及び前記ＩＣチップに対して電力を供給する電力供給手段を有するカードである。
【００１５】
請求項２及び請求項３の発明によって、カードデザインを変更することが可能となる。これによって従来のように、カードの契約内容の変更、例えばホワイトカードからゴールドカードへのグレードアップ等の際に、新規カードの再発行、従来のカードの廃棄等の諸問題を解決することが可能となる。又新規カード受領までの間のカード保有者の、カードが使用できないことの問題点も解決することが可能となる。
【００１６】
請求項４の発明は、
前記電子ペーパーに表示する表示内容の一部又は全部として、カード保有者の顔、指紋、人体の一部又は全部の情報のいずれかを含むカードである。
【００１７】
本発明によって、カード保有者がカードを利用する際に、カード保有者の顔、指紋、人体の一部又は全部のいずれかがカードに表示されていることによって、その店舗で本人確認が容易となる。つまり店舗の店員は、カードに表示された顔、指紋、人体の一部又は全部のいずれかと、カード保有者の外観とを照合することが可能となるのである。更に顔などは年月の経過と共に比較的変化しやすく、特に整形手術等した場合にはその印象が大きく変わる。従来もカードに顔写真が付されることによってその本人確認をするものも存在したが、このような従来のカードでは顔写真は固定である為、前記のようにその印象が変化した場合には、本人であるにも関わらず本人とは見なされないことから、カード利用が断られる場合もあった。しかしこのようにカードに付される顔等を容易に変化せしめることによって、例えば整形手術でその印象が変わった場合にはカードの個別部分データとしての顔を変更するだけで良い。又、顔等をそのまま取り込んだ精緻な画像だけではなく、デフォルメ、抜粋又は暗号化等したものであっても良い。
【００１８】
請求項５の発明は、
請求項１から請求項４のいずれかに記載のカードとの間でデータの送受信を行い、前記カードのＩＣチップに記録しているデータを接触又は非接触で読み取り／書き込みを行えるカードＩ／Ｆ装置との間でネットワークを介してデータの送受信が可能なカードシステムに於いて、前記ネットワークを介してカードＩ／Ｆ装置との間でデータの送受信を行う通信装置と、前記通信装置から受信したカードの通信内容に於ける認証用データと、顧客・カード個別識別情報データベースに格納しているカード保有者の識別用のデータとを照合し、該カードの認証を行うカード認証装置と、基本制御データベースに格納している基本部分データと、個別制御データベースに格納している個別部分データとを抽出して、結合データを作成する制御データ作成装置とを有するカードシステムである。
【００１９】
請求項５の発明によって、カードで表示するデザイン案（結合データ）を作成して、それをカードＩ／Ｆ装置に送信することが可能となる。カードＩ／Ｆ装置がデザイン案（結合データ）を表示することで、カード保有者が表示デザインを選択し、自らのカードのデザインとすることが可能となる。
【００２０】
請求項６の発明は、
請求項１から請求項４のいずれかに記載のカードとの間でデータの送受信を行い、前記カードのＩＣチップに記録しているデータを接触又は非接触で読み取り／書き込みを行えるカードＩ／Ｆ装置を有する保有者側カードシステムとの間でネットワークを介してデータの送受信が可能なカードシステムに於いて、前記ネットワークを介してカードＩ／Ｆ装置との間でデータの送受信を行う通信装置と、前記通信装置から受信したカードの通信内容に於ける認証用データと、顧客・カード個別識別情報データベースに格納しているカード保有者の識別用のデータとを照合し、該カードの認証を行うカード認証装置と、基本制御データベースに格納している基本部分データを抽出し前記ネットワークを介して前記カードＩ／Ｆ装置に送信を行うシステム側制御データ装置とを有するカードシステムである。
【００２１】
請求項６の発明によって、カードの電子ペーパーに表示する個別部分データを、カードＩ／Ｆ装置で読み取り、カードシステムから受信した基本部分データと組み合わせることで、デザイン案（結合データ）を作成することが可能となる。これによって、その場でカード保有者自らの個別部分データをゲーム感覚で作成することが可能となる。又カードシステムからカードＩ／Ｆ装置に送信するデータが基本部分データだけとなるので、ネットワークトラフィックを削減することが出来、処理時間を効率的にすることが出来る。
【００２２】
請求項７の発明は、
請求項１から請求項４のいずれかに記載のカードとの間でデータの送受信を行い、前記カードのＩＣチップに記録しているデータを接触又は非接触で読み取り／書き込みを行えるカードＩ／Ｆ装置を有する保有者側カードシステムとの間でネットワークを介してデータの送受信が可能なカードシステムに於いて、前記ネットワークを介してカードＩ／Ｆ装置との間でデータの送受信を行う通信装置と、前記通信装置から受信したカードの通信内容に於ける認証用データと、顧客・カード個別識別情報データベースに格納しているカード保有者の識別用のデータとを照合し、該カードの認証を行うカード認証装置と、基本制御データベースに格納している基本部分データと、個別制御データベースに格納している個別部分データとを抽出して、結合データを作成する制御データ作成装置とを有するカードシステムである。
【００２３】
請求項７の発明によって、カードシステムで一度結合データを作成し、その結合データを保有者側カードシステムで再度変更可能とすることによって、柔軟な結合データを作成することが出来る。それにより、カードのデザインをバラエティに富んだものとすることが出来ると共に、個別部分データを常に最新のものでカードが作成出来る。
【００２４】
請求項８の発明は、
前記カードシステムは、与信データデータベースに格納しているカード保有者の与信データに基づいて、該カード保有者の選択することの出来る基本部分データ又は個別部分データの制限を付加するパターン制御装置を有するカードシステムである。
【００２５】
請求項８の発明によって、カード保有者が選択可能なデータに制限を付加することが可能となる。これによって、与信能力が低いのにゴールドカードに変更する等の、カード発行企業にとってのリスクを回避することが出来る。又予め選択できないデータを排除してカードＩ／Ｆ装置に送信することで、無駄なデータを送信せずに済み、ネットワークトラフィックを削減することが出来る。
【００２６】
請求項９の発明は、
前記基本部分データは、前記電子ペーパーで表示する表示デザインの基本部分を識別する識別子又は画像データであって、前記個別部分データは、前記電子ペーパーで表示する表示デザインの個別部分を識別する識別子又は画像データであって、前記結合データは、前記基本部分データと前記個別部分データの組合せからなるカードシステムである。
【００２７】
請求項９の発明によって、カードの表示デザインを可変的にすることが可能となる。
【００２８】
請求項１０の発明は、
前記保有者側カードシステムは、前記カードＩ／Ｆ装置で個別部分データを読み取り保有者側個別制御データベースに格納した個別部分データと、前記カードシステムから受信した基本部分データとに基づいて、結合データを作成する保有者側制御データ作成装置を有するカードシステムである。
【００２９】
請求項１０の発明によって、カード保有者側の装置で結合データを作成するので、ネットワークトラフィックを削減し、処理時間を効率的にすることが出来る。
【００３０】
請求項１１の発明は、
前記保有者側カードシステムは、前記カードＩ／Ｆ装置で個別部分データを読み取り保有者側個別制御データベースに格納した個別部分データと、前記カードシステムから受信した結合データとに基づいて、前記受信した結合データに於ける個別部分データを、前記カードＩ／Ｆ装置で読み取った個別部分データに変更又は差し替えを行い、第２の結合データを作成する保有者側制御データ変更装置を有するカードシステムである。
【００３１】
請求項１１の発明によって、カードシステムで一度結合データを作成し、その結合データを保有者側カードシステムで再度変更可能とすることによって、柔軟な結合データを作成することが出来る。それにより、カードのデザインをバラエティに富んだものとすることが出来ると共に、個別部分データを常に最新のものでカードが作成出来る。
【００３２】
請求項１２の発明は、
請求項１から請求項４のいずれかに記載のカードとの間でデータの送受信を行い、前記カードのＩＣチップに記録しているデータを接触又は非接触で読み取り／書き込みを行えるカードＩ／Ｆ装置に於いて、前記カードＩ／Ｆ装置が、カメラ、スキャナ、ディスクの読み取り装置、キーボード、マウス、タッチパネルのいずれかを具備しているカードＩ／Ｆ装置である。
【００３３】
請求項１２の発明によって、カードＩ／Ｆ装置で個別部分データを取り込むことが出来るので、ゲーム感覚で抵抗感なくカードのデザインとする個別部分データを作成することが出来る。又このようにカード保有者のオリジナルデザインとすることで、従来のような画一的なカードから、多種多様なデザインが可能となる。
【００３４】
請求項１３の発明は、
前記カードＩ／Ｆ装置は、前記結合データ又は第２の結合データを前記カードに送信することによって該カードの表示、情報の変更を行わせるカードＩ／Ｆ装置である。
【００３５】
請求項１３の発明によって、カードの表示デザインを可変的にすることが可能となる。
【００３６】
請求項１４の発明は、
前記カードＩ／Ｆ装置は、前記カードのＩＣチップに記憶されたカード保有者の顔、指紋、人体の一部又は全部の情報と、前記カードＩ／Ｆ装置に具備されたカメラ又は指紋読み取り装置で読み取った情報とを照合することによって、カードの表示、情報変更を行う者が正規のカード保有者であるか否かの認証を行うバイオメトリクス認証装置を有するカードＩ／Ｆ装置である。
【００３７】
請求項１４の発明によって、カードの表示、情報変更のセキュリティを高めることが可能となる。つまりカードシステムを用いてカードに具備された電子ペーパー及びＩＣチップに記憶された情報を変更する為には、暗証番号等の入力をカードＩ／Ｆ装置で入力後に行わせるが、これでは暗証番号を第三者に知られた場合にその悪用が防ぐことが困難である。従って請求項１４のようにカードの電子ペーパーにカード保有者の顔、指紋、人体の一部又は全部のデータをＩＣチップ内に記憶させ、カード保有者がカードＩ／Ｆ装置を使用する場合にその認証情報とすれば、セキュリティ性が高度に高まる。
【００３８】
【発明の実施の形態】
本発明のカード３０及びカードシステム１ａのシステム構成の一例を図１及び図５を用いて詳細に説明する。
【００３９】
カード３０は、その表面に電子ペーパー３３を具備しており、電力供給手段３１とＩＣチップ３２とを有している。
【００４０】
電力供給手段３１は、カード３０のＩＣチップ３２及び電子ペーパー３３に対して電力を供給する手段である。例えば非接触型のカード３０である場合には、電力供給手段３１としてアンテナ等があり、カード保有者がカード３０を磁場に近づけることによって、電磁誘導の原理でアンテナ（電力供給手段３１）に電力が発生し、それをＩＣチップ３２に供給することが可能となる。又その他にも光線等を受信する（受け付ける）ことによって電力を供給しても良い。又上記のように他の媒体を用いるのではなく、電力供給手段３１が電池等であり、自らＩＣチップ３２に電力を供給しても良い。
【００４１】
電子ペーパー３３は、カード３０の表面の全部又は一部に具備されており、ＩＣチップ３２からの指示によってその表示を可変にすることが出来る、公知の電子ペーパー３３である。
【００４２】
ＩＣチップ３２は、カード３０に具備された公知の集積回路であって、電力供給手段３１から供給された電力によって、電子ペーパー３３に表示する内容の識別、表示変更の指示等を行う。又ＩＣチップ３２は、カード３０の目的に適したデータの読み取り／書き込みが可能であって、従来の磁気ストライプによるものよりもデータ量が多く、且つ高度なセキュリティを確保することが可能である。ＩＣチップ３２は、表示変更識別手段３４と表示変更指示手段３５とを有する。
【００４３】
表示変更識別手段３４は、カードＩ／Ｆ装置１０から受信したデータに基づいて、電子ペーパー３３にどのように表示を行うかを識別する為の手段である。
【００４４】
表示変更指示手段３５は、表示変更識別手段３４で識別した内容に従い、電子ペーパー３３に対して表示内容の変更と方法とを指示する信号を発する手段である。
【００４５】
カードシステム１ａは、通信装置２とカード認証装置３と制御データ作成装置４とパターン制御装置８と顧客・カード個別識別情報データベース５と個別制御データベース６と基本制御データベース７と与信データデータベース９とを有しており、カードＩ／Ｆ装置１０とネットワーク２０を介してデータの送受信が可能である。
【００４６】
通信装置２は、ネットワーク２０を介してカードＩ／Ｆ装置１０との間でデータの送受信を行う装置である。
【００４７】
カード認証装置３は、通信装置２で受信したカード３０の通信内容から、カード３０から受信した認証用データと、顧客・カード個別識別情報データベース５に格納しているデータとを照合して、カード３０の認証を行う装置である。
【００４８】
制御データ作成装置４は、個別制御データベース６と基本制御データベース７に格納している基本部分データ（後述）と個別部分データ（後述）とを抽出し、それらに基づいて結合データを作成する装置である。ここで結合データとは、カード３０表面の電子ペーパー３３で表示する、いわばデザイン案であって画像データであっても良いし、それを識別する識別子であっても良い。
【００４９】
パターン制御装置８は、与信データデータベース９に格納しているカード保有者の与信データに基づいて、カード保有者が選択することの出来る基本部分データ又は個別部分データの制限を付加する装置である。例えばカード保有者の与信状況が悪いので、ゴールドカードの基本部分データを選択できないように制限を付加する。
【００５０】
顧客・カード個別識別情報データベース５は、カード３０の種類、カード保有者の識別用のデータを格納しているデータベースである。
【００５１】
個別制御データベース６は、カード保有者毎に指定された、例えば顔写真や氏名等のカード表面の表示デザインの個別部分の選択枝を格納しているデータベースである。この表示デザインの個別部分の選択枝を個別部分データと呼ぶこととする。個別部分データには、カード保有者の顔写真データや、カード保有者がオリジナルに表示することを希望するデザイン等が該当する。
【００５２】
基本制御データベース７は、カード発行企業が指定するカード表面の表示デザインの基本部分の選択枝を格納しているデータベースである。この表示デザインの基本部分の選択枝を基本部分データと呼ぶこととする。基本部分データには、カード発行企業のマーク、ホワイトカード、ゴールドカード等のカード保有者のカード３０のランクを示す背景等が該当する。
【００５３】
与信データデータベース９は、カード保有者の与信状況（与信データ）を格納しているデータベースである。
【００５４】
カードＩ／Ｆ装置１０は、カード３０に対して電気、磁場、光線等を提供するエネルギー供給・発生や、カードシステム１ａとの間でデータの送受信を行う装置、カード３０のＩＣチップ３２に記録しているデータを接触又は非接触で読み取り／書き込みを行う装置とを有しており、更にディスプレイ等の表示装置、キーボード・マウス・タッチパネル等の入力装置、カメラ、スキャナ、ディスクの読み取り装置等を具備していることも好適である。
【００５５】
【実施例】
次に本発明のプロセスの流れの一例を図２及び図３のフローチャート図を用いて詳細に説明する。
【００５６】
カード保有者は、自らが有するカード３０のデザインの変更、異なるランクのカード３０を使用したい等の希望を有した場合には、当該カード３０をカードＩ／Ｆ装置１０に接触、接近あるいは挿入等をすることによって、カード３０に対して電力供給を行い、カード３０とカードＩ／Ｆ装置１０との間で通信確立を行う（Ｓ１００）。
【００５７】
通信の確立後、カード３０からカードＩ／Ｆ装置１０に対して、カード種類やカード保有者を記録した認証用データを送信する（Ｓ１１０）。認証用データを送信するには、カード３０の電力供給手段３１が電力をＩＣチップ３２に対して供給することによって、ＩＣチップ３２内に記録している認証用データをカードＩ／Ｆ装置１０に対して送信すれば良い。
【００５８】
認証用データをカードＩ／Ｆ装置１０からカードシステム１ａの通信装置２が受信し（Ｓ１２０）、受信した認証用データに基づいて、カード認証装置３が顧客・カード個別識別情報データベース５と照合することによって、カード３０の種類、カード保有者の認識を行う（Ｓ１３０）。
【００５９】
カード認証装置３が認識した結果から、基本制御データベース７に格納している基本部分データと個別制御データベース６に格納している個別部分データとを抽出して（Ｓ１３５）、制御データ作成装置４が結合データを作成する。つまり、カード保有者間で共通の表示デザインの基本部分と、各々のカード保有者で異なる表示デザインの個別部分とを各々のデータベースから抽出して、一つの表示デザインとして結合させ結合データとする。
【００６０】
又場合によっては基本部分データと個別部分データとには、パターン制御装置８が与信データデータベース９に格納している与信データを抽出して（Ｓ１４０）、その使用に制限を付加しても良い。制限を付加する場合には（Ｓ１５０）、パターン制御装置８が与信データデータベース９に格納しているカード保有者の与信データに基づいて制限を付加する。例えばカード保有者の与信状況が悪いので、ゴールドカードの基本部分データを選択できないように制限を付加する等が可能となる。
【００６１】
Ｓ１５０に於いて制限を付加しない場合には、基本部分データと個別部分データとに基づいて結合データを作成する（Ｓ１６０）。制限を付加した場合には、抽出した基本部分データ又は個別部分データから制御データ作成装置４が、当該制限を除いた結合データを作成することとなる（Ｓ１７０）。
【００６２】
制限の有無を問わず、基本部分データと個別部分データとの組合せが複数存在する場合には、複数の結合データを作成しても良い。
【００６３】
作成した結合データを、カードシステム１ａの通信装置２がネットワーク２０を介してカードＩ／Ｆ装置１０に対して送信する（Ｓ１８０）。カードＩ／Ｆ装置１０で受信した結合データが複数存在した場合には（Ｓ１９０）、カードＩ／Ｆ装置１０に具備された表示装置（図示せず）や入力装置（図示せず）を介して、どの結合データを使用するかの選択をカード保有者に行わせる（Ｓ２００）。この際に、受信した結合データでカード３０の表示を変更する場合には、どのような表示が為されるのかを表示装置を介してイメージ図として表示することが好適であるが、テキストデータで結合データの構成を示しても良い。
【００６４】
Ｓ１８０で受信した結合データ又はＳ２００でカード保有者が選択した結合データを、カードＩ／Ｆ装置１０からカード３０に送信する（Ｓ２１０）。カード３０の電力供給手段３１によって供給された電力によって、ＩＣチップ３２の表示変更識別手段３４が、カードＩ／Ｆ装置１０から受信した結合データに従って電子ペーパー３３でどのような表示変更を行うかの判別を行う（Ｓ２２０）。
【００６５】
つまり結合データは、カード３０表面に具備された電子ペーパー３３に表示する画像データであっても良いが、少なくとも電子ペーパー３３にどのような表示を行うかの識別を行える識別子から構成されていればよい。従ってカードＩ／Ｆ装置１０上でカード保有者に対して結合データの選択を行わせる場合には、当該結合データに於ける識別子と対応する画像を選択して表示を行うこととなる。
【００６６】
表示変更識別手段３４で識別した結果に基づいて、表示変更指示手段３５が電子ペーパー３３に対して表示変化の指示信号を送信して、表示変化の実行を行う（Ｓ２３０）。この際に、電力供給手段３１が電子ペーパー３３に電力を供給することによって電子ペーパー３３は表示を変化させることが可能となる。
【００６７】
又表示変更のみならず、ＩＣチップ３２内のカード保有者の契約内容の変更等のデータ変更（例えばホワイトカードからゴールドカードへの変更、限度額の変更等）を行っても良い。
【００６８】
又電子ペーパー３３の表示変化が完了したことをカードシステム１ａに対して通知しても良く（Ｓ２４０）、その場合には完了通知を表示変更指示手段３５が作成して、カードＩ／Ｆ装置１０に送信する（Ｓ２５０）。完了通知を受信したカードＩ／Ｆ装置１０は、カードシステム１ａに対して完了通知をリアルタイム又はバッチ処理で送信することによって、カードシステム１ａで表示変化が完了したことを把握することが可能となる。
【００６９】
更に個別部分データとして、カメラ、スキャナ、ディスクの読み取り装置等をカードＩ／Ｆ装置１０に設けることによって、これらで個別部分データを読み取り、カードシステム１ａに対してネットワーク２０を介して送信することによって、個別部分データの登録、変更を行えるようにしても良い。
【００７０】
加えて、カード３０に具備された電子ペーパー３３で表示する結合データに於ける個別部分データとして、カード保有者の顔、指紋等の人体の一部又は全部の情報のいずれかを表示することによって、カードを利用する店舗で本人確認が容易となる。更に顔などは年月の経過と共に比較的変化しやすく、特に整形手術等した場合にはその印象が大きく変わる。従来もカードに顔写真が付されることによってその本人確認をするものも存在したが、このような従来のカードでは顔写真は固定である為、前記のようにその印象が変化した場合には、本人であるにも関わらず本人とは見なされないことから、カード利用が断られる場合もあった。しかしこのようにカードに付される顔等を容易に変化せしめることによって、例えば整形手術でその印象が変わった場合にはカードの個別部分データとしての顔を変更するだけで良い。
【００７１】
更に近年発達めざましいバイオメトリクスによる認証技術を使用することによって、カード３０の表示、情報変更のセキュリティを高めることが可能となる。つまりカードシステム１ａを用いてカード３０に具備された電子ペーパー３３及びＩＣチップ３２に記憶された情報を変更する為には、暗証番号等の入力をカードＩ／Ｆ装置１０で入力後に行わせるが、これでは暗証番号を第三者に知られた場合にその悪用が防ぐことが困難である。従って上記のようにカード３０の電子ペーパー３３にカード保有者の顔、指紋、人体の一部又は全部の情報のいずれかをＩＣチップ３２内に記憶させ、カード保有者がカードＩ／Ｆ装置１０を使用する場合にその認証情報とすれば、セキュリティ性が高度に高まる。即ち、カードＩ／Ｆ装置１０にカメラや公知の指紋読み取り装置（以下、バイオメトリクス認証装置（図示せず））を具備し、それらからカード保有者の顔や指紋等の人体の一部又は全部を読み取らせる。その読み取った情報とカード３０に記憶している情報とを照合し、一致した場合にだけその変更作業となる以後のプロセスの操作を可能とせしめ、一致しない場合にはその変更を許可しないとする。更に一致しない場合が一定回数以上連続して発生した場合には、カード３０内の情報が破壊されている、あるいはカード３０が不正使用されている等の何らかのトラブルの可能性が高いのでそれをカードＩ／Ｆ装置１０からカード会社に対して自動通知を行う。このようにすることによって、カード保有者以外にはカード３０の表示、情報の変更が不可能となり、そのセキュリティを向上できる。
【００７２】
【実施例２】
次に個別部分データをカードシステム１ａではなく、カード保有者側に設ける場合のシステム構成を図４のシステム構成図を用いて説明する。この場合には、カードＩ／Ｆ装置１０にカメラ、スキャナ、記録媒体（磁気ディスク、光ディスク、光磁気ディスク等、半導体メモリ等のデータを記録する媒体であれば何であっても良い）の読み取り装置、キーボード、マウス、タッチパネル等の入力装置を設ける。これにより、その場でカード保有者自らをカメラで撮影、自らの写真等をスキャナで読み取る、記録媒体に記録しているデータを読み取る等を行うことによって、そのデータを個別部分データとすることが可能となる。尚、実施例１と同一部分については説明の簡略化の為、省略する。このようにカード保有者側で個別部分データを取り込む場合には、カードＩ／Ｆ装置１０以外に保有者側制御データ装置１２と保有者側個別制御データベース１３とを有する保有者側カードシステム１１を設けることが好適である。
【００７３】
カードシステム１ｂは、通信装置２とカード認証装置３とシステム側制御装置１４とパターン制御装置８と基本制御データベース７と顧客・カード個別識別情報データベース５と与信データデータベース９とを有しており、保有者側カードシステム１１との間でネットワーク２０を介してデータの送受信が可能である。
【００７４】
システム側制御装置１４は、基本制御データベース７に格納している基本部分データを抽出しネットワーク２０を介してカードＩ／Ｆ装置１０に、抽出した基本部分データの送信を行う装置である。
【００７５】
保有者側カードシステム１１は、カードＩ／Ｆ装置１０と保有者側制御データ装置１２と保有者側個別制御データベース１３とを有する。
【００７６】
保有者側制御データ装置１２は、カードＩ／Ｆ装置１０に具備されたカメラ、スキャナ、記録媒体の読み取り装置等で読み取り、保有者側個別制御データベース１３に格納した個別部分データと、カードシステム１ｂから受信した基本部分データとに基づいて、結合データを作成する装置である。
【００７７】
保有者側個別制御データベース１３は、カードＩ／Ｆ装置１０にカード保有者が読み取らせたデータを個別部分データとして格納しているデータベースである。
【００７８】
次に本実施例の場合のプロセスの流れの一例を図６及び図７のフローチャート図を用いて説明する。Ｓ３００からＳ３３０までは実施例１のＳ１００からＳ１３０と同様なので説明を省略する。
【００７９】
カード認証装置３が認識した結果から、システム側制御装置１４が基本制御データベース７に格納している基本部分データを抽出する（Ｓ３３５）。
【００８０】
又場合によっては基本部分データには、パターン制御装置８が与信データデータベース９に格納している与信データを抽出して（Ｓ３４０）、その使用に制限を付加しても良い。
【００８１】
制限を付加しない場合には（Ｓ３５０）、Ｓ３３５で抽出した基本部分データを、通信手段が保有者側カードシステム１ｂに送信し（Ｓ３６０）、制限を付加する場合には（Ｓ３５０）、システム側制御装置１４が抽出した基本部分データに対して、パターン制御装置８が与信データデータベース９に格納しているカード保有者の与信データに基づいて制限を付加し、その基本部分データを通信装置２を介して保有者側カードシステム１１に送信する（Ｓ３７０）。この場合には例えばカード保有者の与信状況が悪いので、ゴールドカードの基本部分データを選択できないように制限を付加する等が可能となる。
【００８２】
保有者側カードシステム１１のカードＩ／Ｆ装置１０で基本部分データを受信後（受信前のいずれの段階であっても良い）、個別部分データをカードＩ／Ｆ装置１０に読み取らせ保有者側個別制御データベース１３に格納する（Ｓ３７５）。この読み取りは、例えば個別部分データとして、カード保有者自身を撮像した写真を用いたい場合には、カードＩ／Ｆ装置１０に具備されたカメラでカード保有者自身を撮像し、そのデータを個別部分データとしても良いし、絵や写真等をカードＩ／Ｆ装置１０に具備されたスキャナで読み取らせそのデータを個別部分データとしても良いし、磁気ディスク等をカードＩ／Ｆ装置１０に読み取らせることでそのデータを個別部分データとしても良い。更にカードＩ／Ｆ装置１０にキーボード、マウス、タッチパネル等の入力装置を具備することで、当該個別部分データに文字等を使用できるようにしても良い。例えばカメラで撮像したデータに、キーボード等で文字を重ねられる等がある。又個別部分データとして入力装置から入力された文字のみとしても良い。このように、本実施例ではＳ３７５で個別部分データを読み取らせたが、いずれの段階で行われても良いことは言うまでもない。又カードシステム１ｂ側の処理と並行して行われていても良い。
【００８３】
カードＩ／Ｆ装置１０で読み取った個別部分データと、カードシステム１ｂから受信した基本部分データとに基づいて、保有者側制御データ装置１２が結合データを作成する（Ｓ３８０）。
【００８４】
結合データを作成する際に、基本部分データと個別部分データとの組合せが複数存在する場合には、複数の結合データを作成しても良い。
【００８５】
保有者側制御データ装置１２が作成した結合データが複数存在した場合には（Ｓ３９０）、カードＩ／Ｆ装置１０に具備された表示装置や入力装置を介して、どの結合データを使用するかの選択をカード保有者に行わせる（Ｓ４００）。この際に、作成した結合データでカード３０の表示を変更する場合には、どのような表示が為されるのかを表示装置を介してイメージ図として表示することが好適であるが、テキストデータで結合データの構成を示しても良い。
【００８６】
Ｓ３８０で作成した結合データ又はＳ４００でカード保有者が選択した結合データを、カードＩ／Ｆ装置１０からカード３０に送信する（Ｓ４１０）。カード３０の電力供給手段３１によって供給された電力によって、ＩＣチップ３２の表示変更識別手段３４が、カードＩ／Ｆ装置１０から受信した結合データに従って電子ペーパー３３でどのような表示変更を行うかの判別を行う（Ｓ４２０）。
【００８７】
つまり結合データは、カード表面に具備された電子ペーパー３３に表示する画像データからであっても良いが、少なくとも電子ペーパー３３にどのような表示を行うかの識別を行える識別子から構成されていればよい。従ってカードＩ／Ｆ装置１０上でカード保有者に対して結合データの選択を行わせる場合には、当該結合データに於ける識別子と対応する画像を選択して表示を行うこととなる。
【００８８】
表示変更識別手段３４で識別した結果に基づいて、表示変更指示手段３５が電子ペーパー３３に対して表示変化の指示信号を送信して、表示変化の実行を行う（Ｓ４３０）。この際に、電力供給手段３１が電子ペーパー３３に電力を供給することによって電子ペーパー３３は表示を変化させることが可能となる。
【００８９】
又表示変更のみならず、ＩＣチップ３２内のカード保有者の契約内容の変更等のデータ変更（例えばホワイトカードからゴールドカードへの変更、限度額の変更等）を行っても良い。
【００９０】
又電子ペーパー３３の表示変化が完了したことを、カードシステム１ｂに対して通知しても良く（Ｓ４４０）、その場合には完了通知を表示変更指示手段３５が作成して、カードＩ／Ｆ装置１０に送信する（Ｓ４５０）。完了通知を受信したカードＩ／Ｆ装置１０は、カードシステム１ｂに対して完了通知をリアルタイム又はバッチ処理によって送信することによって、カードシステム１ｂで表示変化が完了したことを把握することが可能となる。
【００９１】
又、カード３０に具備された電子ペーパー３３で表示する結合データに於ける個別部分データとして、カード保有者の顔、指紋等の人体の一部又は全部の情報のいずれかを表示することによって、カードを利用する店舗で本人確認が容易となる。更に顔などは年月の経過と共に比較的変化しやすく、特に整形手術等した場合にはその印象が大きく変わる。従来もカードに顔写真が付されることによってその本人確認をするものも存在したが、このような従来のカードでは顔写真は固定である為、前記のようにその印象が変化した場合には、本人であるにも関わらず本人とは見なされないことから、カード利用が断られる場合もあった。しかしこのようにカードに付される顔等を容易に変化せしめることによって、例えば整形手術でその印象が変わった場合にはカードの個別部分データとしての顔を変更するだけで良い。
【００９２】
更に近年発達めざましいバイオメトリクスによる認証技術を使用することによって、カード３０の表示、情報変更のセキュリティを高めることが可能となる。つまりカードシステム１ｂを用いてカード３０に具備された電子ペーパー３３及びＩＣチップ３２に記憶された情報を変更する為には、暗証番号等の入力をカードＩ／Ｆ装置１０で入力後に行わせるが、これでは暗証番号を第三者に知られた場合にその悪用が防ぐことが困難である。従って上記のようにカード３０の電子ペーパー３３にカード保有者の顔、指紋、人体の一部又は全部の情報のいずれかをＩＣチップ３２内に記憶させ、カード保有者がカードＩ／Ｆ装置１０を使用する場合にその認証情報とすれば、セキュリティ性が高度に高まる。即ち、カードＩ／Ｆ装置１０にカメラや公知の指紋読み取り装置（以下、バイオメトリクス認証装置（図示せず））を具備し、それらからカード保有者の顔や指紋等の人体の一部又は全部を読み取らせる。その読み取った情報とカード３０に記憶している情報とを照合し、一致した場合にだけその変更作業となる以後のプロセスの操作を可能とせしめ、一致しない場合にはその変更を許可しないとする。更に一致しない場合が一定回数以上連続して発生した場合には、カード３０内の情報が破壊されている、あるいはカード３０が不正使用されている等の何らかのトラブルの可能性が高いのでそれをカードＩ／Ｆ装置１０からカード会社に対して自動通知を行う。このようにすることによって、カード保有者以外にはカード３０の表示、情報の変更が不可能となり、そのセキュリティを向上できる。
【００９３】
又本実施例２に於いては、個別部分データを保有者側カードシステム１１から取り込んでいるので、保有者側カードシステム１１内の保有者側個別制御データベース１３の個別部分データの変更を行っても良い。
【００９４】
【実施例３】
更に実施例１と実施例２とを組み合わせた形での本発明の実施も可能となる。この場合は、カードシステムでは基本部分データと個別部分データとを組み合わせた結合データを作成し、それを保有者側カードシステムに送信する点では実施例１と同様であるが、その結合データの個別部分データに、更に変更、差し替えが可能である場合である。この場合のシステム構成を図８のシステム構成図を用いて説明する。尚、実施例１、実施例２と同一部分については簡略化の為、説明を省略する。
【００９５】
カードシステム１ｃは、通信装置２、カード認証装置３、制御データ作成装置４、パターン制御装置８、顧客・カード個別識別情報データベース５、個別制御データベース６、基本制御データベース７、与信データベース９とを有しており、保有者側カードシステム１１ｃとネットワーク２０を介してデータの送受信が可能である。カードシステム１ｃは、実施例１に於けるカードシステム１ａとその構成は同様である。
【００９６】
保有者側カードシステム１１ｃは、カードＩ／Ｆ装置１０と保有者側制御データ変更装置１４と保有者側個別制御データベース１３とを有している。
【００９７】
カードＩ／Ｆ装置１０は、実施例２と同様にカード保有者が任意の個別部分データを取り込めるように、カメラ、スキャナ、記録媒体（磁気ディスク、光ディスク、光磁気ディスク等、半導体メモリ等のデータを記録する媒体であれば何であっても良い）の読み取り装置、キーボード、マウス、タッチパネル等の入力装置を設ける。
【００９８】
保有者側制御データ変更装置１４は、カードＩ／Ｆ装置１０に具備されたカメラ、スキャナ、記録媒体の読み取り装置等で読み取り、保有者側個別制御データベース１３に格納した個別部分データと、カードシステム１ｃから受信した結合データとに基づいて、当該受信した結合データに於ける個別部分データを、カードＩ／Ｆ装置１０で読み取った個別部分データに変更、差し替え等を行い、第２の結合データを作成する装置である。
【００９９】
次に本実施例のプロセスの流れの一例を図９及び図１０のフローチャート図を用いて詳細に説明する。Ｓ５００からＳ５８０は、実施例１のＳ１００からＳ１８０と同一なので省略する。
【０１００】
保有者側カードシステム１１ｃのカードＩ／Ｆ装置１０で結合データを受信後（受信前のいずれの段階であっても良い）、個別部分データをカードＩ／Ｆ装置１０に読み取らせ保有者側個別制御データベース１３に格納する（Ｓ５９０）。この読み取りは、例えば個別部分データとして、カード保有者自身を撮像した写真を用いたい場合には、カードＩ／Ｆ装置１０に具備されたカメラでカード保有者自身を撮像し、そのデータを個別部分データとしても良いし、絵や写真等をカードＩ／Ｆ装置１０に具備されたスキャナで読み取らせそのデータを個別部分データとしても良いし、磁気ディスク等をカードＩ／Ｆ装置１０に読み取らせることでそのデータを個別部分データとしても良い。更にカードＩ／Ｆ装置１０にキーボード、マウス、タッチパネル等の入力装置を具備することで、当該個別部分データに文字等を使用できるようにしても良い。例えばカメラで撮像したデータに、キーボード等で文字を重ねられる等がある。又個別部分データとして入力装置から入力された文字のみとしても良い。このように、本実施例ではＳ５９０で個別部分データを読み取らせたが、いずれの段階で行われても良いことは言うまでもない。又カードシステム１ｃ側の処理と並行して行われていても良い。
【０１０１】
カードＩ／Ｆ装置１０で読み取った個別部分データと、カードシステム１ｃから受信した結合データとに基づいて、保有者側制御データ変更装置１４が当該受信した結合データに於ける個別部分データを、カードＩ／Ｆ装置１０で読み取った個別部分データに変更、差し替え等を行い、第２の結合データを作成する（Ｓ６００）。又Ｓ６００に於いては個別部分データの変更を行わなくても良い。
【０１０２】
結合データを作成する際に、基本部分データと個別部分データとの組合せが複数存在する場合には、複数の結合データを作成しても良い。
【０１０３】
保有者側制御データ変更装置１４が作成した第２の結合データ、又はＳ５８０で受信した結合データが併せて複数存在した場合には（Ｓ６１０）、カードＩ／Ｆ装置１０に具備された表示装置や入力装置を介して、どの結合データを使用するかの選択をカード保有者に行わせる（Ｓ６２０）。この際に、作成した結合データでカード３０の表示を変更する場合には、どのような表示が為されるのかを表示装置を介してイメージ図として表示することが好適であるが、テキストデータで結合データの構成を示しても良い。
【０１０４】
Ｓ６００で作成した第２の結合データ又はＳ６２０でカード保有者が選択した結合データを、カードＩ／Ｆ装置１０からカード３０に送信する（Ｓ６３０）。カード３０の電力供給手段３１によって供給された電力によって、ＩＣチップ３２の表示変更識別手段３４が、カードＩ／Ｆ装置１０から受信した第２の結合データ又はＳ６２０でカード保有者が選択した結合データに従って電子ペーパー３３でどのような表示変更を行うかの判別を行う（Ｓ６４０）。
【０１０５】
つまり結合データ（第２の結合データも含む。以後、本実施例に於いて同様）は、カード表面に具備された電子ペーパー３３に表示する画像データからであっても良いが、少なくとも電子ペーパー３３にどのような表示を行うかの識別を行える識別子から構成されていればよい。従ってカードＩ／Ｆ装置１０上でカード保有者に対して結合データの選択を行わせる場合には、当該結合データに於ける識別子と対応する画像を選択して表示を行うこととなる。
【０１０６】
表示変更識別手段３４で識別した結果に基づいて、表示変更指示手段３５が電子ペーパー３３に対して表示変化の指示信号を送信して、表示変化の実行を行う（Ｓ６５０）。この際に、電力供給手段３１が電子ペーパー３３に電力を供給することによって電子ペーパー３３は表示を変化させることが可能となる。
【０１０７】
又表示変更のみならず、ＩＣチップ３２内のカード保有者の契約内容の変更等のデータ変更（例えばホワイトカードからゴールドカードへの変更、限度額の変更等）を行っても良い。
【０１０８】
又電子ペーパー３３の表示変化が完了したことを、カードシステム１ｃに対して通知しても良く（Ｓ６６０）、その場合には完了通知を表示変更指示手段３５が作成して、カードＩ／Ｆ装置１０に送信する（Ｓ６７０）。完了通知を受信したカードＩ／Ｆ装置１０は、カードシステム１ｃに対して完了通知をリアルタイム又はバッチ処理によって送信することによって、カードシステム１ｃで表示変化が完了したことを把握することが可能となる。
【０１０９】
このようにカードシステム１ｃで一度結合データを作成し、その結合データを保有者側カードシステム１１ｃで再度変更可能とすることによって、柔軟な結合データを作成することが出来る。
【０１１０】
又、カード３０に具備された電子ペーパー３３で表示する結合データに於ける個別部分データとして、カード保有者の顔、指紋等の人体の一部又は全部の情報のいずれかを表示することによって、カードを利用する店舗で本人確認が容易となる。更に顔などは年月の経過と共に比較的変化しやすく、特に整形手術等した場合にはその印象が大きく変わる。従来もカードに顔写真が付されることによってその本人確認をするものも存在したが、このような従来のカードでは顔写真は固定である為、前記のようにその印象が変化した場合には、本人であるにも関わらず本人とは見なされないことから、カード利用が断られる場合もあった。しかしこのようにカードに付される顔等を容易に変化せしめることによって、例えば整形手術でその印象が変わった場合にはカードの個別部分データとしての顔を変更するだけで良い。
【０１１１】
更に近年発達めざましいバイオメトリクスによる認証技術を使用することによって、カード３０の表示、情報変更のセキュリティを高めることが可能となる。つまりカードシステム１ｃを用いてカード３０に具備された電子ペーパー３３及びＩＣチップ３２に記憶された情報を変更する為には、暗証番号等の入力をカードＩ／Ｆ装置１０で入力後に行わせるが、これでは暗証番号を第三者に知られた場合にその悪用が防ぐことが困難である。従って上記のようにカード３０の電子ペーパー３３にカード保有者の顔、指紋、人体の一部又は全部の情報のいずれかをＩＣチップ３２内に記憶させ、カード保有者がカードＩ／Ｆ装置１０を使用する場合にその認証情報とすれば、セキュリティ性が高度に高まる。即ち、カードＩ／Ｆ装置１０にカメラや公知の指紋読み取り装置（以下、バイオメトリクス認証装置（図示せず））を具備し、それらからカード保有者の顔や指紋等の人体の一部又は全部を読み取らせる。その読み取った情報とカード３０に記憶している情報とを照合し、一致した場合にだけその変更作業となる以後のプロセスの操作を可能とせしめ、一致しない場合にはその変更を許可しないとする。更に一致しない場合が一定回数以上連続して発生した場合には、カード３０内の情報が破壊されている、あるいはカード３０が不正使用されている等の何らかのトラブルの可能性が高いのでそれをカードＩ／Ｆ装置１０からカード会社に対して自動通知を行う。このようにすることによって、カード保有者以外にはカード３０の表示、情報の変更が不可能となり、そのセキュリティを向上できる。
【０１１２】
又本実施例３に於いては、個別部分データを保有者側カードシステム１１ｃから取り込んでいるので、保有者側カードシステム１１内の保有者側個別制御データベース１３の個別部分データの変更を行っても良い。更にはカードシステム１ｃの個別制御データベースに格納している個別部分データを変更する場合には、その変更も併せて行うことが好適である。
【０１１３】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【０１１４】
尚、本発明を実施するにあたり本実施態様の機能を実現するソフトウェアのプログラムを記録した記録媒体をシステムに供給し、そのシステムのコンピュータが記録媒体に格納されたプログラムを読み出し実行することによって実現されることは当然である。
【０１１５】
この場合、記録媒体から読み出されたプログラム自体が前記した実施態様の機能を実現することとなり、そのプログラムを記録した記録媒体は本発明を当然のことながら構成することになる。
【０１１６】
プログラムを供給する為の記録媒体としては、例えば磁気ディスク、ハードディスク、光ディスク、光磁気ディスク、磁気テープ、不揮発性のメモリカード等を使用することができる。
【０１１７】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【０１１８】
更に、記録媒体から読み出されたプログラムが、コンピュータに挿入された機能拡張ボードやコンピュータに接続された機能拡張ユニットに備わる不揮発性あるいは揮発性の記録手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【０１１９】
【発明の効果】
本発明によって、カード発行企業が一度カードを発行すれば新たなカードを発行することなく、カード保有者がカードを使用することが出来る、カード表面を可変的に変更可能なカード及びそのカードシステムが可能となる。
【０１２０】
これによって、カード発行企業は、従来のようにカードの在庫等を抱える必要がなく、又何度もカードを発行する手間が省けること等から、カード在庫コスト、発行処理コスト、送付コスト等を逓減することが可能となる。
【０１２１】
又カード保有者は、本発明のカードシステムを利用すればその場でカードを変更することが可能となるので、新しいカードを受領するまでの間、カードを使用できないとのデメリットがなくなる。更にその表面及びメモリの情報の内容のみが変わっているだけで、カード媒体そのものは同じカードであることから省資源を実現することが可能となる。
【０１２２】
更にカードに書き込まれている利用可能なアプリケーション構成（例えばどのような種類のＩＣアプリケーション（ＩＣカードを用いて実現する為のプログラムであって、例えばクレジットカード決済用のアプリケーション、電子マネー用のアプリケーション、ポイント用のアプリケーション等があり、ＩＣチップ内にソフトウェアとして記憶される）が利用できるのか、どのような契約内容であるか、限度額、カード利用額等）の視覚的表示を、アプリケーションの増減に応じて表示変更でき、カード保有者はいつでもカードで使えるアプリケーションを視覚的に認識、確認することが可能となる。
【図面の簡単な説明】
【図１】カードシステムの他のシステム構成の一例を示すシステム構成図である。
【図２】カードシステムのプロセスの流れの一例を示すフローチャート図である。
【図３】カードシステムのプロセスの流れの一例を示すフローチャート図である。
【図４】カードシステムの他のシステム構成の一例を示すフローチャート図である。
【図５】カードのシステム構成の一例を示すフローチャート図である。
【図６】カードシステムの他のプロセスの流れの一例を示すフローチャート図である。
【図７】カードシステムの他のプロセスの流れの一例を示すフローチャート図である。
【図８】カードシステムの他のシステム構成の一例を示すフローチャート図である。
【図９】カードシステムの他のプロセスの流れの一例を示すフローチャート図である。
【図１０】カードシステムの他のプロセスの流れの一例を示すフローチャート図である。
【符号の説明】
１：カードシステム
２：通信装置
３：カード認証装置
４：制御データ作成装置
５：顧客・カード個別識別情報データベース
６：個別制御データベース
７：基本制御データベース
８：パターン制御装置
９：与信データデータベース
１０：カードＩ／Ｆ装置
１１：保有者側カードシステム
１２：保有者側制御データ装置
１３：保有者側個別制御データベース
１４：保有者側制御データ変更装置
２０：ネットワーク
３０：カード
３１：電力供給手段
３２：ＩＣチップ
３３：電子ペーパー
３４：表示変更識別手段
３５：表示変更指示手段
【図１】
2004030406.tif 000003
【図２】
2004030406.tif 000004
【図３】
2004030406.tif 000005
【図４】
2004030406.tif 000006
【図５】
2004030406.tif 000007
【図６】
2004030406.tif 000008
【図７】
2004030406.tif 000009
【図８】
2004030406.tif 000010
【図９】
2004030406.tif 000011
【図１０】
2004030406.tif 000012